(57)【要約】【課題】コスト低減と快適設計の調和の推進。【解決手段】ユニットラバトリ（１１）と、空調化されている空気を居室（６）に送供するフアンを内蔵するフアンユニット（１２）と、ユニットラバトリ（１１）とフアンユニット（１２）とを単一構造化する単一構造化ユニッ（１４）とから構成されている。ユニットラバトリ（１１）とフアンユニット（１２）とは単一構造化ユニット（１４）に工場で結合されて現場まで移送される。フアンユニット（１２）は居室（６）になく騒音発生源にならず、且つ、ユニットラバトリ（１１）に一体化されて居室（６）から音波伝播的には断絶又は絶縁されている。フアンユニット（１２）のそのように配置は、ユニットラバトリ（１１）とフアンユニット（１２）との一体化を可能にし、更に、工場で一体化して組み立てることができ、コストを低減化することができる。【選択図】　　　　　図１
2004100289.tif 000002
【特許請求の範囲】
【請求項１】
ユニットラバトリと、
空調化されている空気を居室に送給するフアンを内蔵するフアンユニットと、前記ユニットラバトリと前記フアンユニットとを単一構造化する単一構造化ユニットとを具え、
前記ユニットラバトリと前記フアンユニットとは前記単一構造化ユニットに工場で結合されて現場まで移送される
居室の環境制御ユニット。
【請求項２】
前記単一構造化ユニットは、
本体構造と、
支持構造とを備え、
前記支持構造と前記ユニットラバトリとは前記本体構造に支持され、
前記フアンユニットは前記支持構造に支持されている
請求項１の居室の環境制御ユニット。
【請求項３】
前記フアンユニットは、前記居室に前記空気を供給するダクトの一端部位が取り付けられる送風出口が設けられている
請求項１又は２の居室の環境制御ユニット。
【請求項４】
前記フアンユニットの内部で発生するドレンを排出するドレン排出管を更に具え、
前記ドレン排出管は前記単一構造化ユニットに工場で一体化されている
請求項１〜３から選択される１請求項の居室の環境制御ユニット。
【請求項５】
前記ドレン排出管は前記単一構造化ユニットの端面まで導かれている
請求項４の居室の環境制御ユニット。
【請求項６】
前記ユニットラバトリは、それの内部に上水給排器を備え、
前記上水給排器は、上水排水管を具え、
前記ドレン排水管の端部は前記上水排水管に接続している
請求項５の居室の環境制御ユニット。
【発明の詳細な説明】
【０００１】
【発明の属する技術分野】
本発明は、居室の環境制御ユニットに関し、特に、ユニットラバトリと他の設備の一層のユニット化が推進される居室の環境制御ユニットに関する。
【０００２】
【従来の技術】
ホテル、船舶のような居室集合構造は、３次元的交叉仕切により仕切られる多数の居住空間を形成している。船舶は、天井板又は上側水平甲板と下側水平甲板と縦方向鉛直仕切壁と横方向鉛直仕切壁とにより互いに直交しあう６つの内面により多数の居住室を形成している。６面壁構造は、ホテル又は船舶の居室集合構造の一部の部分構造である。部分構造は、基本的骨格を定める基本構造設計に組み込まれて設計段階で規定され、自由自在に設計され得ない。
【０００３】
このような構造的性格を持つ居室集合構造の部分構造として設計される居室には、快適さが強く求められる。快適さと建設コスト又は建造コストの低減とは調和することが重要である。快適さとコスト低減の調和のための設計規格を統一する設計技術は、船舶に関して知られている（後掲特許公報参照）。公知のこのような技術は、更に、ユニットラバトリーの寸法の規格化を取り入れて居室集合構造の統一的規格化を開示している。
【０００４】
空調とラバトリーは、部分構造である居室の快適さのために本質的に重要である要素である。船舶居室の空調設備は、従来、ダクト方式が主流であったが、最近ではチラーウオータ（ｃｈｉｌｌｅｒ　ｗａｔｅｒ）方式が主流になりつつある。チラーウオータ方式は、居室ごとの温度コントロールが容易である特徴を有している。チラーウオータ方式の空調設備は、フアンコイルユニットを構成している。フアンコイルユニットの大半は、床置型である。床置型のフアンコイルユニットは、居室内設計で位置取り的に障害になっている。更に、床置型のフアンコイルユニットは居室内騒音源になっている。このように、床置型のフアンコイルユニットは、設計と快適さの両面で問題点が残存している。
【０００５】
居室構造コストの低減化のために、ラバトリーのユニット化がますますに進められている。ラバトリーは、浴槽、シャワー、上水栓、トイレの集合であり、給水管、下水管、排水管がそれらの間で入り乱れて組み込まれている。コスト低減と快適設計の調和の推進が求められる。
【０００６】
【特許文献１】
特開平１０−２７３０９３号
【０００７】
【発明が解決しようとする課題】
本発明の課題は、コスト低減設計と快適設計の調和を一層に推進することができる居室の環境制御ユニットを提供することにある。
【０００８】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００９】
本発明による居室の環境制御ユニットは、ユニットラバトリ（１１）と、空調化されている空気を居室（６）に送給するフアンを内蔵するフアンユニット（１２）と、ユニットラバトリ（１１）とフアンユニット（１２）とを単一構造化する単一構造化ユニッ（１４）とから構成されている。ユニットラバトリ（１１）とフアンユニット（１２）とは単一構造化ユニット（１４）に工場で結合されて現場まで移送される。
【００１０】
フアンユニット（１２）は居室（６）になく騒音発生源にならず、且つ、ユニットラバトリ（１１）に一体化されて居室（６）から音波伝播的には断絶又は絶縁されている。フアンユニット（１２）のそのような配置は、ユニットラバトリ（１１）とフアンユニット（１２）との一体化を可能にし、更に、工場で一体化して組み立てることができ、コストを低減化することができる。
【００１１】
単一構造化ユニット（１４）は、本体構造（１５）と、支持構造（１６）とを形成する。支持構造（１６）とユニットラバトリ（１１）とは本体構造（１５）に支持され、フアンユニット（１２）は支持構造（１６）に支持されている。このような支持構造の一体化は、強化構造の工場生産を可能にしている。
【００１２】
フアンユニット（１２）は、居室（６）に空気を供給するダクト（１８）の一端部位が取り付けられる送風出口（１３）が設けられている。現場で、ダクト（１８）をフアンユニット（１２）に容易に取り付けることができる。
【００１３】
フアンユニット（１２）の内部で発生するドレンを排出するドレン排出管（２８）が更に一体化される。ドレン排出管（２８）は単一構造化ユニット（１４）に工場で一体化される。ドレン排出管（２８）は単一構造化ユニット（１４）の端面まで導かれている。ユニットラバトリ（１１）は、それの内部に上水供給器（２２）を有する。上水給排器（２２）は、上水排水管（３１）を有し、ドレン排出管（２８）の端部は上水排水管（３１）に接続している。上水排水管（３１）とドレン排出管（２８）をともに単一構造化ユニット（１４）として組み込んで設計することができる。浴槽からの排水管も上水排水管と接続されている（図示されず）。
【００１４】
【発明の実施の形態】
図に対応して、本発明による居室の環境制御ユニットの実施の形態は、船舶に関して述べられ、天井又は上側甲板と下側甲板と４面の間仕切り壁との間に居住空間が設けられている。その居住空間１を閉じる居室構造２は、図１に示されるように、天井板３と下側甲板４と４面の間仕切り壁５（図２参照）とにより仕切られて形成されている。居住空間１は、快適居室空間６と、快適環境制御空間７とから構成されている。快適居室空間６は、ホテルではベッドルームといわれるワンルーム空間として形成されている。快適居室空間６と快適環境制御空間７とは、快適居室形成壁８により仕切られている。快適居室空間６は、音と空気に関して快適環境制御空間７に対して概ね密閉的に又は絶縁的に形成されている。
【００１５】
快適居室空間６には、ベッド（図示されず）、情報端末機器（図示されず）、その他の設備が配置されている。快適環境制御空間７には、環境制御ユニット９が固定的に配置されている。環境制御ユニット９は、ユニットラバトリ１１とフアンコイルユニット１２との単一化結合である。ユニットラバトリ１１は、快適居室空間６に温度制御空気を供給する駆動源付きファンを有している。
【００１６】
ユニットラバトリ１１とフアンコイルユニット１２とを単一構造化する結合構造は、床置式のフレーム構造１４として与えられている。フレーム構造１４は、下側甲板４に直接に支持されて固定される本体構造１５と、本体構造１５に対してフアンコイルユニット１２を固定的に支持する支持構造１６とから構成されている。支持構造１６は、ユニットラバトリ１１の外側に配置されている。フアンコイルユニット１２は、ユニットラバトリ１１の外側に配置されている。ユニットラバトリ１１は、工場で本体構造１５に一体化されて製造されている。支持構造１６は、工場で本体構造１５に一体化されて製造されている。フアンコイルユニット１２は、工場で支持構造１６に一体化されて製造されている。
【００１７】
快適居室形成壁８に、温度制御空気を送り込むダクト端末１７が固着されている。ダクト端末１７は、快適居室形成壁８の上方部位に配置されて取り付けられている。ダクト端末１７とフアンコイルユニット１２の送風出口１３との間は、送風用ダクト１８により連結されている。
【００１８】
図２は、隣り合う２つの居室構造２の配置を示している。快適居室形成壁８は、２つの居室構造２に関して単一化されている。２つの快適居室形成壁８は、間仕切り壁５の一部分である共通仕切り壁５’により絶縁的に仕切られている。隣り合う２つの居室構造２は、共通仕切り壁５’に関して鏡面対称に構造化されている。従って、隣り合う２つの環境制御ユニット９は、共通仕切り壁５’に関して鏡面対称に構造化されている。従って、隣り合う２つのユニットラバトリ１１は、共通仕切り壁５’に関して鏡面対称に構造化されている。
【００１９】
ユニットラバトリ１１の内部空間には、浴槽１９と、排泄処理器２１と、上水給排器２２と、その他の機器とが配置されている。通路側の間仕切り壁５”には、第１出入り口２３が配置されている。快適居室形成壁８には、第２出入り口２４が配置されている。
【００２０】
快適居室空間６は、第２出入り口２４を介してユニットラバトリ１１の内部に通じているが、隣り合う２つのユニットラバトリ１１のそれぞれの内部は、互いには通じていない。隣り合う２つのユニットラバトリ１１の内部は、防音壁２５により密閉的に断絶されて絶縁されている。フアンコイルユニット１２が内蔵する音源は、ユニットラバトリ１１の内部に対して空気流通的には断絶され絶縁されている。従って、フアンコイルユニット１２が内蔵する音源は、快適居室空間６に対して空気流通的には（空中伝播的には）断絶され絶縁されている。
【００２１】
隣り合う２つのユニットラバトリ１１の間は、防音的配管用空間２６に形成されている。防音的配管用空間２６に鉛直方向にパイプ２７が通されている。パイプ２７としては、冷水供給管、温水供給管、チラー、ドレン排出管、汚水排水管のような管（図示されず）が配置されている。
【００２２】
図１に示されるように、フアンコイルユニット１２で生成されるドレンを排出するドレン排出管２８がフレーム構造１４に結合している。ドレン排出管２８の一端はフアンコイルユニット１２と上水排水管３１の他端に接続し、他端２９は本体構造１５の外周面まで届き、その外周面から外側に延びていることが好ましい。他端２９は、ドレン排出本管２７に工事現場で接合される。ドレン排出管２８は、フレーム構造１４に一体的に工場で単一構造化されていることが好ましい。
【００２３】
上水給排器２２で用いられる水を排出する排水管３１がフレーム構造１４に結合している。排水管３１の一端は上水給排器２２に接続し、排水管３１の他端３２は本体構造１５の外周面まで届き、その外周面から外側に延びていることが好ましい。今の場合、ドレン排出管２８は、他端３２に接合している。他端３２は、ドレン排水本管に工事現場で接合される。排水管３１は、フレーム構造１４に一体的に工場で単一構造化されていることが好ましい。図２に点線で示される位置に配置される公知のフアンユニットは、居室６には存在していない。
【００２４】
【発明の効果】
本発明による居室の環境制御ユニットは、騒音対策とコスト低減とを同時に実現することができる。
【図面の簡単な説明】
【図１】図１は、本発明による居室の環境制御ユニットの実施の形態を示す正面断面図である。
【図２】図２は、図１の水平断面図である。
【符号の説明】
６…居室
１１…ユニットラバトリ
１２…フアンユニット
１３…送風出口
１４…単一構造化ユニット
１５…本体構造
１６…支持構造
１８…ダクト
２２…上水給排器
２８…ドレン排出管
３１…上水排水管
【図１】
2004100289.tif 000003
【図２】
2004100289.tif 000004